【手続補正書】
【提出日】平成26年4月18日(2014.4.18)
【手続補正１】
【補正対象書類名】特許請求の範囲
【補正対象項目名】全文
【補正方法】変更
【補正の内容】
【特許請求の範囲】
【請求項１】
コンピュータ実行方法であって、
受信した電子文書のコンテンツを、該電子文書のコンテンツ内に含まれる１つ以上のフォントの各固有の文字を識別するために、自律的な方法で分析する過程と、
該電子文書のコンテンツ内に含まれる該１つ以上のフォントのサブセットの要求を開始する過程と、を具備しており、該要求がそれぞれの該１つ以上のフォントの該各識別された固有の文字を含む、該コンピュータ実行方法。
【請求項２】
該電子文書のコンテンツを分析する過程が該１つ以上のフォント内に含まれるフォントのソースを識別する過程を備える請求項１に記載のコンピュータ実行方法。
【請求項３】
該電子文書のコンテンツを分析する過程が該１つ以上のフォント内に含まれるフォントのソースの不在を識別する過程を備える請求項１に記載のコンピュータ実行方法。
【請求項４】
自律的な方法で受信電子文書のコンテンツを分析する過程がエージェントを実行する過程により開始される請求項１に記載のコンピュータ実行方法。
【請求項５】
該受信電子文書のコンテンツを分析する過程が該文書内に表現される該文字を識別するために該電子文書のコンテンツを構文解析する過程を備える請求項１に記載のコンピュータ実行方法。
【請求項６】
該受信電子文書のコンテンツを分析する過程が、該電子文書のコンテンツ内に含まれる該１つ以上のフォントの各々の各固有の文字を識別するために、該電子文書内で表現された該識別された文字をフィルターにかける過程を備える請求項５に記載のコンピュータ実行方法。
【請求項７】
該１つ以上のフォントのサブセットの要求を開始する過程が該識別された文字を該要求に付加する過程を備える請求項１に記載のコンピュータ実行方法。
【請求項８】
該要求への応答が該フォントの１つの全ての文字を有する請求項１に記載のコンピュータ実行方法。
【請求項９】
該電子文書のコンテンツを分析する過程がプラットフォームに依存しないで行われる請求項１に記載のコンピュータ実行方法。
【請求項１０】
システムであって、
要求時に、コンピュータデバイスにエージェントを提供するフォントサーバーであって、該コンピュータデバイスにより受信された電子文書のコンテンツを分析する該エージェントを提供する該フォントサーバーを具備しており、該エージェントにより行われる該分析は該電子文書のコンテンツ内に含まれる１つ以上のフォントの各固有の文字を識別しており、
該フォントサーバーは、該コンピュータデバイスからの要求時、該１つ以上のフォント用のサブセットを、各該フォントサブセットがそれぞれの該フォントの各識別された固有の文字を含むように、作るよう構成されており、そして
該フォントサーバーが、各該フォントサブセットを該コンピュータデバイスへ送信する過程を開始するよう更に構成される、該システム。
【請求項１１】
該受信電子文書のコンテンツの分析により、該エージェントが該１つ以上のフォント内に含まれるフォントのソースを識別する請求項１０に記載のシステム。
【請求項１２】
該受信電子文書のコンテンツの分析により、該エージェントが該１つ以上のフォント内に含まれるフォントのソースの不在を識別する請求項１０に記載のシステム。
【請求項１３】
該コンピュータデバイスが該受信電子文書のコンテンツを分析するために該フォントサーバーから受信した該エージェントを実行する請求項１０に記載のシステム。
【請求項１４】
該エージェントが該文書内に表現された該文字を識別するために該電子文書のコンテンツを構文解析する請求項１０に記載のシステム。
【請求項１５】
該エージェントが、該電子文書のコンテンツ内に含まれた該１つ以上のフォントの各々用の各固有の文字を識別するために、該文書内に表現された該識別された文字をフィルターにかける請求項１４に記載のシステム。
【請求項１６】
該エージェントが該フォントサーバーへの要求の作成を開始する請求項１０に記載のシステム。
【請求項１７】
該エージェントが該コンピュータデバイスの種類に依存しないで動作するよう構成される請求項１０に記載のシステム。
【請求項１８】
該フォントサーバーが該フォントサブセット内に含めるべきフォント文字の部分を決定するよう構成される請求項１０に記載のシステム。
【請求項１９】
該フォントサブセット内に含める該フォント文字の部分が該フォントの全文字を含む請求項１８に記載のシステム。
【請求項２０】
該フォントサーバーが該作成されたフォントサブセットを該受信電子文書に関連させる請求項１０に記載のシステム。
【請求項２１】
コンピュータデバイスであって、
インストラクションを記憶するよう構成されたメモリーと、そして
プロセッサであって、
受信電子文書のコンテンツを、該電子文書のコンテンツ内に含まれる１つ以上のフォントの各固有の文字を識別するために、自律的な方法で分析する過程と、そして
該電子文書のコンテンツ内に含まれる該１つ以上のフォントのサブセットの要求を開始する過程であって、該要求がそれぞれの該１つ以上のフォントの各識別された固有の文字を含んでいる、該過程と
を有する動作を行うために該インストラクションを実行するよう構成された該プロセッサと、
を具備する該コンピュータデバイス。
【請求項２２】
該電子文書のコンテンツを分析する過程が該１つ以上のフォント内に含まれるフォントのソースを識別する過程を有する請求項２１に記載のコンピュータデバイス。
【請求項２３】
該電子文書のコンテンツを分析する過程が該１つ以上のフォント内に含まれるフォントのソースの不在を識別する過程を有する請求項２１に記載のコンピュータデバイス。
【請求項２４】
受信電子文書のコンテンツを自律的な方法で分析する過程がエージェントを実行する過程により開始される請求項２１に記載のコンピュータデバイス。
【請求項２５】
該受信電子文書のコンテンツを分析する過程が、該文書内に表現された該文字を識別するために該電子文書のコンテンツを構文解析する過程を有する請求項２１に記載のコンピュータデバイス。
【請求項２６】
該受信電子文書のコンテンツを分析する過程が、該電子文書のコンテンツ内に含まれる該１つ以上のフォントの各々用の各固有の文字を識別するために、該電子文書内に表現された該識別された文字をフィルターにかける過程を有する請求項２５に記載のコンピュータデバイス。
【請求項２７】
該１つ以上のフォントのサブセットの要求を開始する過程が該識別された文字を該要求に付加する過程を有する請求項２１に記載のコンピュータデバイス。
【請求項２８】
インストラクションを記憶する１つ以上のコンピュータ読み出し可能な媒体であって、該インストラクションは処理デバイスにより実行可能であり、かつ該インストラクションはこの様な実行時、該処理デバイスに、
受信電子文書のコンテンツを、該電子文書のコンテンツ内に含まれる１つ以上のフォントの各固有の文字を識別するために、自律的な方法で分析する過程と、
該電子文書のコンテンツ内に含まれる該１つ以上のフォントのサブセットの要求を開始させる過程であって、該要求がそれぞれの該１つ以上のフォントの各該識別された固有の文字を含んでいる、該過程と、
を有する動作を行わせる、該インストラクションを記憶する該１つ以上のコンピュータ読み出し可能な媒体。
【請求項２９】
該電子文書のコンテンツを分析する過程が、該１つ以上のフォント内に含まれるフォントのソースを識別する過程を有する請求項２８に記載の１つ以上のコンピュータ読み出し可能な媒体。
【請求項３０】
該電子文書のコンテンツを分析する過程が、該１つ以上のフォント内に含まれるフォントのソースの不在を識別する過程を有する請求項２８に記載の１つ以上のコンピュータ読み出し可能な媒体。
【請求項３１】
受信電子文書のコンテンツを自律的な方法で分析する過程が、エージェントを実行する過程により開始される請求項２８に記載の１つ以上のコンピュータ読み出し可能な媒体。
【請求項３２】
システムであって、
コンピュータデバイスからの要求時に、１つ以上のフォントのサブセットを作成するフォントサーバーを具備しており、各該フォントサブセットが、該コンピュータデバイス内に含まれるエージェントにより電子文書のコンテンツから識別されたそれぞれの該フォントの各固有の文字を有しており、そして
該フォントサーバーが各フォントサブセットを該コンピュータデバイスへ送る過程を開始するよう構成される、該システム。
【請求項３３】
該フォントサーバーが該エージェントを該コンピュータデバイスへ供給するよう構成される請求項３２に記載のシステム。
【請求項３４】
該エージェントが、該１つ以上のフォント内に含まれるフォントのソースを識別するために該電子文書のコンテンツを分析する請求項３２に記載のシステム。
【請求項３５】
該エージェントが、該１つ以上のフォント内に含まれるフォントのソースの不在を識別するために該受信電子文書のコンテンツを分析する請求項３２に記載のシステム。
【請求項３６】
該エージェントが該文書内で表現される該文字を識別するために該電子文書のコンテンツを構文解析する請求項３２に記載のシステム。
【請求項３７】
該エージェントが、該電子文書のコンテンツ内に含まれた該１つ以上のフォントの各々用の各固有の文字を識別するために、該電子文書内で表現され、該識別された文字をフィルターにかける請求項３６に記載のシステム。
【請求項３８】
該エージェントが該フォントサーバーへの該要求の作成を開始する請求項３２に記載のシステム。
【請求項３９】
該エージェントが該コンピュータデバイスの種類に依存しないで動作するよう構成される請求項３２に記載のシステム。
【請求項４０】
該フォントサーバーが該フォントサブセット内に含まれるフォント文字の部分を決定するよう構成される請求項３２に記載のシステム。
【請求項４１】
該フォントサブセット内に含むべき該フォント文字の部分が該フォントの全文字を含む請求項４０に記載のシステム。
【請求項４２】
該フォントサーバーが該作成されたフォントサブセットを該電子文書に関連させる請求項３２に記載のシステム。
【請求項４３】
少なくとも１つのフォントの文字の完全なセットとして前記サブセット及び追加の文字を受信する過程を有する、請求項１に記載の方法。
【請求項４４】
前記追加の文字が、しきい値に基づいて提供される請求項４３に記載の方法。
【請求項４５】
前記しきい値が、ファイルサイズしきい値を表す請求項４４に記載の方法。
【請求項４６】
前記しきい値が、少なくとも１つのフォントの完全な文字セットを構成する請求項４４に記載の方法。
【請求項４７】
前記しきい値が、達成可能なファイル転送速度、地理的位置、時間的要因の少なくとも１つに基づき調整可能である請求項４４に記載の方法。
【請求項４８】
前記フォントサーバーが各フォントサブセットを前記コンピュータデバイスに送信する過程を開始するよう構成される、又は、前記フォントサーバーが各フォントサブセット及び追加の文字をコンピュータデバイスに送信する過程を開始するよう構成され、該追加の文字の包含がデータ転送しきい値に基づいている、請求項１０に記載のシステム。
【請求項４９】
前記プロセッサがさらに、
１つ以上のフォントのサブセットを受信する過程、又は、１つ以上のフォントのサブセット及び追加の文字を受信する過程であって、該追加の文字の包含がデータ転送しきい値に基づいている該過程
を有する動作を行うためにインストラクションを実行するよう構成された、請求項２１に記載されたコンピュータデバイス。
【請求項５０】
実行時に処理デバイスに、
１つ以上のフォントのサブセットを受信する過程、又は、１つ以上のフォントのサブセット及び追加の文字を受信する過程であって、該追加の文字の包含がデータ転送しきい値に基づいている該過程
を有する動作を更に行わせる、請求項２８に記載の１つ以上のコンピュータ読み出し可能な媒体。
【請求項５１】
前記フォントサーバーが各フォントサブセットを前記コンピュータデバイスに送信する過程を開始するよう構成される、又は、前記フォントサーバーが各フォントサブセット及び追加の文字をコンピュータデバイスに送信する過程を開始するよう構成され、該追加の文字の包含がデータ転送しきい値に基づいている、請求項３２に記載のシステム。